(57)【特許請求の範囲】
【請求項１】
複数のモニタランプＬが組み込まれる移動農機用運転パネルであって、該移動農機用運転パネルのパネル本体に複数のランプ収納室を並列させてなるモニタランプ収納部を一体形成し、該モニタランプ収納部に複数のモニタランプを並列状に収納すると共に、該モニタランプ収納部の表側には、各モニタランプ位置に対応したモニタ項目がプリントされた透光性樹脂材で形成されたモニタカバーを貼着した移動農機用運転パネルにおいて、前記ランプ収納室は、モニタランプを装着する底部と、隣接するランプ収納室との間を仕切る仕切り部と外側面からなり、該複数のランプ収納室に、それぞれ放熱用スリットを形成するにあたり、隣接するランプ収納室同士の放熱用スリットが同じ方向を向かないよう、前記仕切り部とは別の、ランプ収納室の並列方向に延びてランプ収納室を挟んで対向して設けられる背反する二つの外側面に交互に形成したことを特徴とする移動農機用運転パネル。
【発明の詳細な説明】
【０００１】
【発明の属する技術分野】
本発明は、乗用田植機等の移動農機に設けられる移動農機用運転パネルの技術分野に属するものである。
【０００２】
【従来の技術】
一般に、乗用田植機等の移動農機においては、運転席の前方に運転パネルが設けられている。この種の運転パネルには、メータ類やスイッチ類に加え、モニタランプ類が組み込まれており、該モニタランプ類の点灯状態に基づいて走行状況や作業状況が判断される。
【０００３】
【発明が解決しようとする課題】
しかしながら、上記従来の運転パネルでは、複数のモニタランプを組み込むにあたり、複数のモニタランプを並列状に収納するランプ収納ユニットを形成し、該ランプ収納ユニットを、運転パネルを構成するパネル本体の裏面にビス止めしているため、部品点数や組み立て工数が多くなり、コストアップを招来する不都合があった。
【０００４】
【課題を解決するための手段】
本発明は、上記の如き実情に鑑みこれらの課題を解決することを目的として創作されたものであって、複数のモニタランプＬが組み込まれる移動農機用運転パネルであって、該移動農機用運転パネルのパネル本体に複数のランプ収納室を並列させてなるモニタランプ収納部を一体形成し、該モニタランプ収納部に複数のモニタランプを並列状に収納すると共に、該モニタランプ収納部の表側には、各モニタランプ位置に対応したモニタ項目がプリントされた透光性樹脂材で形成されたモニタカバーを貼着した移動農機用運転パネルにおいて、前記ランプ収納室は、モニタランプを装着する底部と、隣接するランプ収納室との間を仕切る仕切り部と外側面からなり、該複数のランプ収納室に、それぞれ放熱用スリットを形成するにあたり、隣接するランプ収納室同士の放熱用スリットが同じ方向を向かないよう、前記仕切り部とは別の、ランプ収納室の並列方向に延びてランプ収納室を挟んで対向して設けられる背反する二つの外側面に交互に形成したことを特徴とするものである。つまり、モニタランプ収納部をパネル本体と別体とし、パネル本体の裏面にネジ止めしていた従来のものに比べ、部品点数や組み立て工数を削減し、コストダウンを図ることができるようにしたものにおいて、モニタランプの発熱をスリットを介して放熱して、ランプ収納室に籠った熱でモニタランプ収納部が熱変形する等の不都合を解消するにあたり、放熱用スリットから漏れたモニタランプの光が、隣接するランプ収納室に入射し難くなるため、入射光による誤表示を防止することができる。
【０００５】
【発明の実施の形態】
次に、本発明の実施の形態の一つを図面に基づいて説明する。図面において、１は乗用田植機の走行機体であって、該走行機体１は、機体フレーム２と、該機体フレーム２の前部に搭載されるエンジン（図示せず）と、該エンジンの動力を変速するトランスミッション３と、該トランスミッション３から出力される走行動力で駆動する車輪４と、機体後部に設けられる運転席５と、該運転席５の前方に設けられるハンドル６と、該ハンドル６の下方に設けられる運転パネル７とを備えて構成されており、機体後部には、昇降リンク機構１１ａを介して植付作業部１１が連結される。
【０００６】
運転パネル７は、樹脂で一体成型されるパネル本体８と、複数のモニタランプＬと、単一のコンビネーションスイッチ９とを備えて構成される。コンビネーションスイッチ９は、苗補給警報等の警報を一時的に停止させる警報停止スイッチ（非残留スイッチ）９ａと、前照灯を入・切するライトスイッチ９ｂと、警報回路をＯＮ・ＯＦＦする作業切換スイッチ（残留スイッチ）９ｃとを一体的に組み合せたものであり、運転パネル７の左端部に取付けられる。つまり、従来は運転パネル７の左右両側に分散配置されていた各スイッチ９ａ〜９ｃをコンビネーションスイッチ９に統合したため、各スイッチ９ａ〜９ｃの操作性を向上させることができ、しかも、前照灯を入・切するライトスイッチ９ｂと、警報回路をＯＮ・ＯＦＦする作業切換スイッチ９ｃとが機能的に独立しているため、作業時（警報回路ＯＮ状態）においても前照灯を点灯させることが可能になる。
【０００７】
複数のモニタランプＬは、モニタランプ収納部８ａに並列状に収納される。モニタランプ収納部８ａは、全体として横長の有底箱形状であり、その内部を複数の仕切部８ｂで仕切り、複数のランプ収納室８ｃを形成している。従来のモニタランプ収納部は、パネル本体８と別体に形成され、パネル本体８の裏面にネジを介して取付けられているが、本発明の実施形態におけるモニタランプ収納部８ａは、パネル本体８の裏面に一体形成される。これにより、従来のものに比べ、部品点数や組み立て工数が削減され、コストダウンが可能になる。尚、各ランプ収納室８ｃの底部には、モニタランプＬをランプ収納室８ｃに装着するためのランプ装着孔８ｄが形成されている。
【０００８】
パネル本体８におけるモニタランプ収納部８ａの表側には、モニタカバー１０が貼着される。モニタカバー１０は、透光性樹脂材で形成された板状もしくはフィルム状の部材であって、その表面（または裏面）には、各モニタランプ位置に対応し、肥料切れ警告、施肥条止め警告、肥料詰り警告、苗補給警告等のモニタ項目が文字またはシンボルとしてプリントされる。パネル本体８に貼着されたモニタカバー１０は、モニタランプ収納部８ａの各ランプ収納室８ｃの前面開口部を覆蓋し、各モニタランプＬの点灯に応じてモニタ項目を発光表示する。また、パネル本体８におけるモニタカバー１０の貼着部位には、モニタカバー１０の厚さ寸法に対応した凹部８ｅが形成されており、該凹部８ｅにモニタカバー１０を貼着することによって、モニタカバー１０がパネル本体８と略面一状態となり、モニタカバー１０の剥がれが防止される。
【０００９】
モニタランプ収納部８ａの外側面には、各ランプ収納室８ｃに通じるスリット８ｆが複数形成される。スリット８ｆは、前後方向を向いて形成されており、各ランプ収納室８ｃに通じることによってモニタランプＬの放熱孔として機能する。これにより、ランプ収納室８ｃに籠った熱でモニタランプ収納部８ａが熱変形したり、モニタカバー１０が剥がれ易くなる等の不都合を解消することが可能になる。
【００１０】
各ランプ収納室８ｃのスリット８ｆは、モニタランプ収納部８ａの背反する二つの外側面（上面および下面）に交互に形成される。つまり、図５、７、８において明らかな用に、隣接同士のスリット８ｆが同じ方向を向かないよう交互に対向して設けられていて、隣接するランプ収納室８ｃのスリット８ｆが同じ方向を向かないようにしており、その結果、スリット８ｆから漏れたモニタランプＬの光が、隣接するランプ収納室８ｃに入射し難くなり、入射光による誤表示が防止される。
【００１１】
さらに、モニタランプ収納部８ａの上面および下面には、リブ８ｇが形成される。リブ８ｇは、スリット８ｆ間に前後方向を向いて形成されており、スリット８ｆから漏れたランプ光の遮光壁として機能する。これにより、スリット８ｆから漏れたランプ光が、他のランプ収納室８ｃに入射する可能性をさらに低下させることが可能になる。
【００１２】
叙述の如く構成されたものにおいて、走行機体１は、複数のモニタランプＬが組み込まれる運転パネル７を備えており、該運転パネル７のパネル本体８には、複数のモニタランプＬを並列状に収納するモニタランプ収納部８ａが一体形成される。従って、モニタランプ収納部８ａをパネル本体８と別体としていた従来のものに比べ、部品点数や組み立て工数を削減し、コストダウンを図ることができる。
【００１３】
また、モニタランプ収納部８ａに形成される複数のランプ収納室８ｃには、それぞれ放熱用のスリット８ｆが形成されているため、モニタランプＬの発熱をスリット８ｆを介して放熱することができ、その結果、ランプ収納室８ｃに籠った熱でモニタランプ収納部８ａが熱変形したり、モニタカバー１０が剥がれる等の不都合を解消することができる。
【００１４】
また、スリット８ｆは、モニタランプ収納部８ａの背反する二つの外側面に交互に形成されているため、スリット８ｆから漏れたモニタランプＬの光が、隣接するランプ収納室８ｃに入射し難くなり、入射光による誤表示を防止することができる。
【００１５】
また、複数のランプ収納室８ｃが一枚のモニタカバー１０で覆われるため、部品点数を削減することができ、しかも、モニタカバー１０は、パネル本体８に貼着されるため、組立作業の簡略化にも貢献することができる。
【００１６】
尚、本発明は、前記実施形態に限定されないことは勿論であって、例えば図７に示す第二実施形態や図８に示す第三実施形態の如く構成してもよい。つまり、第二実施形態においては、スリット８ｆの左右両側に沿ってリブ８ｈを形成しており、この場合には、スリット８ｆから漏れたランプ光が、他のランプ収納室８ｃに入射する可能性をさらに低下させることが可能になる。また、第三実施形態においては、スリット８ｆの左右両側に沿って形成したリブ８ｉを、左右外側方に向けて傾斜状に延出形成しており、この場合には、リブ８ｉの遮光性能をさらに高めることができる。
【図面の簡単な説明】
【図１】乗用田植機の側面図である。
【図２】同上平面図である。
【図３】運転パネルの正面図である。
【図４】モニタカバーを外した運転パネルの正面図である。
【図５】パネル本体の背面図である。
【図６】同上断面図である。
【図７】第二実施形態を示すパネル本体の背面図である。
【図８】第三実施形態を示すパネル本体の背面図である。
【符号の説明】
１    走行機体
７    運転パネル
８    パネル本体
８ａ  モニタランプ収納部
８ｂ  仕切部
８ｃ  ランプ収納室
８ｄ  ランプ装着孔
８ｆ  スリット
８ｇ  リブ
８ｈ  リブ
８ｉ  リブ
９    コンビネーションスイッチ
１０  モニタカバー
Ｌ    モニタランプ
【図１】
0004116270.tif 000002
【図２】
0004116270.tif 000003
【図３】
0004116270.tif 000004
【図４】
0004116270.tif 000005
【図５】
0004116270.tif 000006
【図６】
0004116270.tif 000007
【図７】
0004116270.tif 000008
【図８】
0004116270.tif 000009